(57)【要約】【課題】スライド式の携帯端末において、操作キーに表示される表示パターンを切り替える際に、ユーザの操作が煩雑になるのを抑制することが可能な携帯端末を提供する。【解決手段】この携帯電話機１００（携帯端末）は、複数の表示パターンを切り替えて表示可能な操作キー部１５が内部に収納された操作部側筐体１３と、操作部側筐体１３に対して、相対的にスライド移動可能に設けられ、表示画面部３４が内部に収納された表示部側筐体３３と、表示部側筐体３３の操作部側筐体１３に対する第１スライド移動位置および第２スライド移動位置に応じてそれぞれ操作キー部１５の表示パターンを切り替えるＣＰＵ１４ａとを備える。【選択図】図１４
2011015182.tif 000002
【特許請求の範囲】
【請求項１】
複数の表示パターンを切り替えて表示可能な第１操作キーが設けられた操作部側筐体と、
前記操作部側筐体に対して、相対的にスライド移動可能に設けられ、表示部を含む表示部側筐体と、
前記表示部側筐体の前記操作部側筐体に対するスライド移動位置に応じて前記第１操作キーの表示パターンを切り替える制御部とを備える、携帯端末。
【請求項２】
前記表示部側筐体は、前記操作部側筐体に対して、第１方向および前記第１方向に対して直交する第２方向に相対的にスライド移動可能に構成されており、
前記表示部側筐体が前記第１方向にスライド移動されて第１スライド移動位置に位置することを検知する第１センサと、
前記表示部側筐体が前記第２方向にスライド移動されて第２スライド移動位置に位置することを検知する第２センサとをさらに備え、
前記制御部は、前記第１センサおよび前記第２センサの検出結果に基づいて、前記第１操作キーの表示パターンを切り替えるように構成されている、請求項１に記載の携帯端末。
【請求項３】
前記制御部は、所定の前記スライド移動位置において、前記表示部側筐体の表示部に起動されるソフトウェアに応じて、前記第１操作キーの表示パターンを切り替えるように構成されている、請求項１または２に記載の携帯端末。
【請求項４】
前記制御部は、前記所定のスライド移動位置において、動画再生用のソフトウェアが起動した際には、前記第１操作キーの表示パターンを動画再生のための操作に対応した表示パターンになるように制御するように構成されている、請求項３に記載の携帯端末。
【請求項５】
前記第１操作キーは、前記複数の表示パターンで表示される際に、各々の前記表示パターンごとに、それぞれ、異なる色で表示されるように構成されている、請求項１〜４のいずれか1項に記載の携帯端末。
【請求項６】
前記表示部側筐体が前記操作部側筐体に対して第１方向に移動されて第１スライド移動位置に位置する場合に、前記第１操作キーのうち第１の操作キー領域が露出され、前記表示部側筐体が前記操作部側筐体に対して第２方向に移動されて第２スライド移動位置に位置する場合に、前記第１操作キーのうち第２の操作キー領域が露出されるように構成されており、
前記制御部は、前記第１の操作キー領域が露出された状態で前記第１の操作キー領域において第１表示パターンの前記第１操作キーの表示を行うとともに、前記第２の操作キー領域が露出された状態で前記第２の操作キー領域において第２表示パターンの前記第１操作キーの表示を行うように構成されている、請求項１〜５のいずれか1項に記載の携帯端末。
【請求項７】
前記表示部側筐体は、複数の表示パターンを切り替えて表示可能な第２操作キーをさらに含み、
前記制御部は、前記スライド移動位置における前記第１操作キーの表示パターンに対応するように、前記第２操作キーの表示パターンを切り替えるように制御するように構成されている、請求項１〜６のいずれか1項に記載の携帯端末。
【発明の詳細な説明】
【技術分野】
【０００１】
この発明は、携帯端末に関し、特に、複数の表示パターンを切り替えて表示可能な操作キーが設けられた携帯端末に関する。
【背景技術】
【０００２】
従来、複数の表示パターンを切り替えて表示可能な操作キーが設けられた携帯端末などが知られている（たとえば、特許文献１〜４参照）。
【０００３】
上記特許文献１では、３つの異なる波長の光を発光可能な照明装置と数字、カナ文字およびアルファベットの表示形状をそれぞれ有する透過部および透過部の周囲を取り囲むマスク部をそれぞれ有する３つの選択表示部とを含む表示装置と、表示装置の上部に配置された操作ボタンとを備える携帯電話が開示されている。上記特許文献１に記載の携帯電話では、照明装置において発光させる光の波長を異ならせることによって、操作ボタンの入力モードに応じて数字、カナ文字またはアルファベットのいずれか１つが表示装置に表示される。これにより、操作ボタンに３つの表示パターンを切り替えて表示可能なように構成されている。ここで、上記特許文献１には明記されていないが、操作ボタンに数字が表示されている状態から文字（カナ文字およびアルファベット）が表示される状態に入力モードを切り替える場合には、文字を入力する所定のソフトウェア（アプリケーション）がユーザにより起動されるとともに、入力モードを切り替えるための操作ボタンがユーザにより押下されることによって、操作ボタンに文字入力用の文字が表示される状態に切り替わるように構成されていると考えられる。
【０００４】
また、上記特許文献２では、縦波の光のみを発光する縦波ＬＥＤ（Ｌｉｇｈｔ  Ｅｍｉｔｔｉｎｇ  Ｄｉｏｄｅ）部、横波の光のみを発光する横波ＬＥＤ部および照明光通過窓を含むボタンと、入力文字種切換ボタンがユーザにより押下された際に文字入力モードを切り替えるとともに、発光させるＬＥＤを変更するように制御する制御部とを備えた携帯電話が開示されている。上記特許文献２に記載の携帯電話の照明光通過窓には、縦波の光のみを透過する縦波フィルタのみに覆われたアルファベットのパターンと、横波の光のみを透過する横波フィルタのみに覆われたひらがなのパターンとが形成されている。これにより、制御部により発光させるＬＥＤ部を異ならせることによって、文字入力モードに応じてアルファベットまたはひらがなのいずれか一方がボタンに表示される。この結果、ボタンに２つの表示パターンを切り替えて表示可能なように構成されている。なお、上記特許文献２には明記されていないが、ボタンにおけるアルファベットおよびひらがなの表示は、文字を入力する所定のソフトウェアがユーザにより起動されている状態で、ユーザの入力文字種切換ボタンの押下により切り替わるように構成されていると考えられる。
【０００５】
また、上記特許文献３では、緑色光を発光可能な緑色ＬＥＤ、赤色光を発光可能な赤色ＬＥＤ、ひらがなの部分が切り抜かれ、緑色光を透過させない第１マスクスクリーンシートおよびアルファベットの部分が切り抜かれ、赤色光を透過させない第２マスクスクリーンシートを含むキートップと、制御部とを備えた移動無線端末装置が開示されている。また、上記特許文献３に記載の移動無線端末装置は、制御部により発光させるＬＥＤを異ならせることによって、入力モードに応じて緑色のひらがなまたは赤色のアルファベットのいずれか一方がキートップに表示される。これにより、キートップに２つの表示パターンを切り替えて表示可能ように構成されている。ここで、上記特許文献３に記載の移動無線端末装置の入力モードは、ユーザからのモード切替指示により切り替わるように構成されている。また、上記特許文献３には、入力モードは、ユーザからのモード切替指示がなくてもプログラムの制御により自動的に切り替わるように構成してもよい点が記載されている。なお、上記特許文献３には明記されていないが、キートップにおけるアルファベットおよびひらがなの表示は、文字を入力する所定のソフトウェアがユーザにより起動されている状態で、自動的にまたはユーザからのモード切替指示により切り替わるように構成されていると考えられる。
【０００６】
また、上記特許文献４では、３つの異なる波長の光をそれぞれ発光可能な３つの光源と光源の上部に配置された３つのノッチフィルタとを含む操作部と、制御部とを備えた携帯電話機が開示されている。上記特許文献４に記載の携帯電話機の３つのノッチフィルタは、それぞれ、数字、ひらがなおよびアルファベットの表示形状が記されており、３つの光のうちのいずれか１つの光を表示形状以外の部分において減衰させるように構成されている。これにより、制御部により発光させる光源を異ならせることによって、操作部の入力モードに応じて数字、ひらがなおよびアルファベットのいずれか１つの表示形状が操作部に表示される。これにより、操作部に３つの表示パターンを切り替えて表示可能なように構成されている。ここで、上記特許文献４に記載の携帯電話機の入力モードは、ユーザの入力モード変更キーの押下により切り替わるとともに、電話をかける場合およびメールを書く場合に、それぞれ、対応する入力モードが自動的に選択されて切り替わるように構成されている。ここで、上記特許文献４には明記されていないが、操作部に数字が表示されている状態から文字（ひらがなおよびアルファベット）が表示される状態に切り替える場合には、文字を入力する所定のソフトウェアがユーザにより起動されている状態で、自動的にまたはユーザの入力モード変更キーの押下により操作部に文字が表示される状態に切り替わるように構成されていると考えられる。
【先行技術文献】
【特許文献】
【０００７】
【特許文献１】特開２００４−３５５３６８号公報
【特許文献２】特開２００４−１５３５７０号公報
【特許文献３】特開２００８−９５２６号公報
【特許文献４】特開２００８−３０４８７５号公報
【発明の概要】
【発明が解決しようとする課題】
【０００８】
ここで、従来技術として、折り畳み式やスライド式の携帯電話（携帯端末）が知られている。たとえば、スライド式の携帯電話では、使用時には、表示部を含む表示部側筐体を操作キー（操作ボタン）が設けられた操作部側筐体に対して所定の方向にスライドした後に、操作キー（操作ボタン）により操作（入力）を行うように構成されている。
【０００９】
上記特許文献１による携帯電話では、ユーザが、文字を入力する所定のソフトウェア（アプリケーション）を起動させるとともに、入力モードを切り替えるための操作ボタンを押下することによって、操作ボタンに数字が表示されている状態から文字が表示される状態に切り替わるように構成されている場合、表示パターンを切り替える際にユーザによるソフトウェアの起動の操作と操作ボタンの押下による入力切替操作とが必要になるという不都合がある。また、このような特許文献１の構成をスライド式の携帯電話に適用した場合、ユーザにより表示部側筐体が操作部側筐体に対して所定の方向にスライドされた後に、さらに、ユーザによるソフトウェアの起動の操作と操作ボタンの押下による入力切替操作とが必要になると考えられる。このため、表示パターンを切り替える際に、ユーザの操作が煩雑になるという問題点が発生すると考えられる。
【００１０】
また、上記特許文献２による携帯電話では、ボタンにおけるアルファベットおよびひらがなの表示が、文字を入力する所定のソフトウェアがユーザにより起動されている状態で、ユーザの入力文字種切換ボタンの押下により切り替わるように構成されている場合、ボタンに表示されているアルファベットおよびひらがなの表示（表示パターン）を切り替える際に、ユーザによるソフトウェアの起動の操作と入力文字種切換ボタンの押下による入力切替操作とが必要になるという不都合がある。また、このような特許文献２の構成をスライド式の携帯電話に適用した場合、ユーザにより表示部側筐体が操作部側筐体に対して所定の方向にスライドされた後に、さらに、ユーザによるソフトウェアの起動の操作と入力文字種切換ボタンの押下による入力切替操作とが必要になると考えられる。このため、表示パターンを切り替える際に、ユーザの操作が煩雑になるという問題点が発生すると考えられる。
【００１１】
また、上記特許文献３による移動無線端末装置では、キートップにおけるアルファベットおよびひらがなの表示が、文字を入力する所定のソフトウェアがユーザにより起動されている状態で、自動的にまたはユーザからのモード切替指示により切り替わるように構成されている場合、ボタンに表示されているアルファベットおよびひらがなの表示（表示パターン）を切り替える際に、少なくともユーザによるソフトウェアの起動の操作が必要になるとともに、場合によっては、ユーザ自らモード切替指示の操作を行う必要があるという不都合があると考えられる。また、このような特許文献３の構成をスライド式の携帯電話に適用した場合、ユーザにより表示部側筐体が操作部側筐体に対して所定の方向にスライドされた後に、さらに、ユーザによるソフトウェアの起動の操作とモード切替指示の操作とが必要になる場合があると考えられる。このため、表示パターンを切り替える際に、ユーザの操作が煩雑になるという問題点が発生すると考えられる。
【００１２】
また、上記特許文献４による携帯電話機では、文字を入力する所定のソフトウェアがユーザにより起動されている状態で、自動的にまたはユーザの入力モード変更キーの押下により、操作部に数字が表示されている状態から文字が表示される状態に切り替わるように構成されている場合、操作部に数字が表示されている状態から文字が表示される状態に切り替える際に、少なくともユーザによるソフトウェアの起動の操作が必要になるとともに、場合によっては、ユーザ自ら入力モード変更キーの押下による入力切替操作が必要になるという不都合があると考えられる。また、このような特許文献４の構成をスライド式の携帯電話に適用した場合、ユーザにより表示部側筐体が操作部側筐体に対して所定の方向にスライドされた後に、さらに、ユーザによるソフトウェアの起動の操作と入力モード変更キーの押下による入力切替操作とが必要になる場合があると考えられる。したがって、表示パターンを切り替える際に、ユーザの操作が煩雑になるという問題点が発生すると考えられる。
【００１３】
この発明は、上記のような課題を解決するためになされたものであり、この発明の１つの目的は、スライド式の携帯端末において、操作キーに表示される表示パターンを切り替える際に、ユーザの操作が煩雑になるのを抑制することが可能な携帯端末を提供することである。
【課題を解決するための手段および発明の効果】
【００１４】
この発明の一の局面による携帯端末は、複数の表示パターンを切り替えて表示可能な第１操作キーが設けられた操作部側筐体と、操作部側筐体に対して、相対的にスライド移動可能に設けられ、表示部を含む表示部側筐体と、表示部側筐体の操作部側筐体に対するスライド移動位置に応じて第１操作キーの表示パターンを切り替える制御部とを備える。
【００１５】
この発明の一の局面による携帯端末では、上記のように、表示部側筐体の操作部側筐体に対するスライド移動位置に応じて第１操作キーの表示パターンを切り替えるように制御する制御部を設けることによって、携帯端末の使用時に、ユーザは表示部側筐体または操作部側筐体のいずれか一方を他方に対して相対的にスライド移動させるだけで、文字を入力する所定のソフトウェア（アプリケーション）を起動させる操作を行うことなく、第１操作キーに表示される表示パターンを切り替えることができる。これにより、スライド式の携帯端末において、第１操作キーに表示される表示パターンを切り替える際に、ユーザの操作が煩雑になるのを抑制することができる。また、スライド移動位置に応じて第１操作キーの表示パターンを切り替えることができるので、ユーザの操作に適した表示パターンを第１操作キーに表示させることができる。
【００１６】
上記一の局面による携帯端末において、好ましくは、表示部側筐体は、操作部側筐体に対して、第１方向および第１方向に対して直交する第２方向に相対的にスライド移動可能に構成されており、表示部側筐体が第１方向にスライド移動されて第１スライド移動位置に位置することを検知する第１センサと、表示部側筐体が第２方向にスライド移動されて第２スライド移動位置に位置することを検知する第２センサとをさらに備え、制御部は、第１センサおよび第２センサの検出結果に基づいて、第１操作キーの表示パターンを切り替えるように構成されている。このように構成すれば、第１センサおよび第２センサにより、表示部側筐体の第１スライド移動位置および第２スライド移動位置に応じて、容易に、ユーザの操作に適した表示パターンを第１操作キーに表示させることができる。
【００１７】
上記一の局面による携帯端末において、好ましくは、制御部は、所定のスライド移動位置において、表示部側筐体の表示部に起動されるソフトウェアに応じて、第１操作キーの表示パターンを切り替えるように構成されている。このように構成すれば、所定のスライド移動位置において起動されるソフトウェアが切り替えられた場合であっても、切り替えられたソフトウェアの操作に適した表示パターンを第１操作キーに表示させることができる。
【００１８】
この場合、好ましくは、制御部は、所定のスライド移動位置において、動画再生用のソフトウェアが起動した際には、第１操作キーの表示パターンを動画再生のための操作に対応した表示パターンになるように制御するように構成されている。このように構成すれば、所定のスライド移動位置において起動されるソフトウェアが動画再生のソフトウェアに切り替えられた場合であっても、切り替えられた動画再生のソフトウェアの操作に適した表示パターンを第１操作キーに表示させることができる。
【００１９】
上記一の局面による携帯端末において、好ましくは、第１操作キーは、複数の表示パターンで表示される際に、各々の表示パターンごとに、それぞれ、異なる色で表示されるように構成されている。このように構成すれば、スライド移動位置に対応する複数の表示パターンのうち、いずれの表示パターンが第１操作キーに表示されているかをユーザに認識させやすくすることができる。
【００２０】
上記一の局面による携帯端末において、好ましくは、表示部側筐体が操作部側筐体に対して第１方向に移動されて第１スライド移動位置に位置する場合に、第１操作キーのうち第１の操作キー領域が露出され、表示部側筐体が操作部側筐体に対して第２方向に移動されて第２スライド移動位置に位置する場合に、第１操作キーのうち第２の操作キー領域が露出されるように構成されており、制御部は、第１の操作キー領域が露出された状態で第１の操作キー領域において第１表示パターンの第１操作キーの表示を行うとともに、第２の操作キー領域が露出された状態で第２の操作キー領域において第２表示パターンの第１操作キーの表示を行うように構成されている。このように構成すれば、表示部側筐体が第１スライド移動位置または第２スライド移動位置に位置する際に露出される第１の操作キー領域または第２の操作キー領域に応じて、ユーザの操作に適した第１表示パターンまたは第２表示パターンを表示させることができる。
【００２１】
上記一の局面による携帯端末において、好ましくは、表示部側筐体は、複数の表示パターンを切り替えて表示可能な第２操作キーをさらに含み、制御部は、スライド移動位置における第１操作キーの表示パターンに対応するように、第２操作キーの表示パターンを切り替えるように制御するように構成されている。このように構成すれば、スライド移動位置に応じて、ユーザの操作に適した表示パターンを第１操作キーに表示させるとともに、操作部側筐体に設けられた第１操作キーに表示される表示パターンに対応した表示パターンを、表示部側筐体に設けられた第２操作キーに表示させることができる。
【図面の簡単な説明】
【００２２】
【図１】本発明の一実施形態による携帯電話機の第１スライド状態（通話モード）を示した斜視図である。
【図２】図１に示した一実施形態による携帯電話機の全体構成を示した分解斜視図である。
【図３】図１に示した一実施形態による携帯電話機の初期状態を示した斜視図である。
【図４】図１に示した一実施形態による携帯電話機の第２スライド状態（文字入力モード）を示した斜視図である。
【図５】図１に示した一実施形態による携帯電話機の初期状態の表示部側本体と操作部側本体との位置関係を示した斜視図である。
【図６】図１に示した一実施形態による携帯電話機の第１スライド状態の表示部側本体と操作部側本体との位置関係を示した斜視図である。
【図７】図１に示した一実施形態による携帯電話機の初期状態の操作部側本体とスライドプレートとの位置関係を示した斜視図である。
【図８】図１に示した一実施形態による携帯電話機の第２スライド状態の操作部側本体とスライドプレートとの位置関係を示した斜視図である。
【図９】図５および図６の１０００−１０００線に沿った第１位置検出センサとスライドプレートの突起部との位置関係を示した断面図である。
【図１０】図７および図８の２０００−２０００線に沿った第２位置検出センサとスライドプレートの突起部との位置関係を示した断面図である。
【図１１】図１に示した一実施形態による携帯電話機の操作キー部の構造を示した分解斜視図である。
【図１２】図１に示した一実施形態による携帯電話機の第２スライド状態（動画再生モード）を示した斜視図である。
【図１３】図１に示した一実施形態による携帯電話機の電気的な構成を示すブロック図である。
【図１４】図１に示した一実施形態による携帯電話機のモード切り替え時の制御フローを示した図である。
【図１５】本発明の一実施形態の第１変形例による携帯電話機の橙色フィルタ層を示した上面図である。
【図１６】本発明の一実施形態の第２変形例による携帯電話機を示した斜視図である。
【発明を実施するための形態】
【００２３】
以下、本発明を具体化した実施形態を図面に基づいて説明する。
【００２４】
まず、図１〜図１３を参照して、本発明の一実施形態による携帯電話機１００の構成について説明する。なお、携帯電話機１００は、本発明の「携帯端末」の一例である。
【００２５】
本発明の一実施形態による携帯電話機１００は、スライド機構を備えた携帯端末装置として構成されている。すなわち、携帯電話機１００は、図１に示すように、平面的に見て横長形状を有する操作部側本体１０と、操作部側本体１０の上面（Ｚ１側の面）側に取り付けられ、操作部側本体１０に対してＸ方向およびＹ方向にスライド移動が可能である表示部側本体３０とを備えている。なお、図１においては、表示部側本体３０が第１スライド移動位置に位置している状態であり、この状態を第１スライド状態とする。また、携帯電話機１００が第１スライド状態である場合には、第１操作キー領域Ａが露出されるように構成されている。なお、第１スライド移動位置は、本発明の「スライド移動位置」の一例であり、第１操作キー領域Ａは、本発明の「第１の操作キー領域」の一例である。
【００２６】
また、図２に示すように、操作部側本体１０には、操作部側筐体１３と、操作回路基板１４と、操作キー部１５と、スイッチ基板１６とが設けられている。操作部側筐体１３は、ダイキャスト成形による金属製（Ｍｇ製またはＡｌ製）の蓋部材１１が、ポリカーボネート（ＰＣ）やＡＢＳ樹脂からなる樹脂製のケーシング部材１２に対してＺ方向に嵌め込まれて形成されている。また、操作回路基板１４は、操作部側筐体１３の内部に収納されるとともに、携帯電話機１００に種々の機能を実現させる役割を有している。また、操作キー部１５は、略Ｌ字状の板状（シート状）に形成されており、蓋部材１１の所定の領域上を覆うように配置されている。操作キー部１５は、本発明の「第１操作キー」の一例である。
【００２７】
また、図２に示すように、表示部側本体３０には、表示部側筐体３３と、液晶ディスプレイからなる表示画面部３４と、表示部側操作キー部３５と、スイッチ基板３６とが設けられている。表示部側筐体３３は、ポリカーボネート（ＰＣ）やＡＢＳ樹脂からなる樹脂製のパネル部３１が、ダイキャスト成形による金属製（Ｍｇ製またはＡｌ製）のケーシング部材３２に対してＺ方向に嵌め込まれて形成されている。また、表示画面部３４は、表示部側筐体３３の内部に収納されるとともに、ＦＰＣ基板（図示せず）を介して操作回路基板１４と接続されるように構成されている。また、スイッチ基板３６はＦＰＣ基板からなり、操作回路基板１４と接続されている。また、図１に示すように、表示部側本体３０をＹ１側にスライド移動させた状態では、ユーザは、表示画面部３４を見ながら操作部側本体１０の上面に露出する第１操作キー領域Ａの操作キー部１５と、表示部側操作キー部３５とを介して携帯電話機１００を操作するように構成されている。なお、表示画面部３４は、本発明の「表示部」の一例であり、表示部側操作キー部３５は、本発明の「第２操作キー」の一例である。
【００２８】
また、携帯電話機１００は、ユーザが表示部側本体３０をスライド移動させずに操作部側本体１０の上に完全に重ねる（図１において表示部側本体３０をＹ２方向にスライドさせて操作部側本体１０に重ねる）ことによって、図３に示すように、携帯電話機１００の平面積を最も小さくした状態で保持可能なように構成されている。なお、本実施形態では、図３に示す携帯電話機１００の状態を初期状態とするとともに、表示部側本体３０が操作部側本体１０の上に完全に重ねられた際の位置を初期位置とする。
【００２９】
また、携帯電話機１００は、図３の初期状態からユーザが表示部側本体３０を操作部側本体１０に対してＸ１側にスライド移動させることによって、図４に示すように、表示部側本体３０（表示部側筐体３３）が操作部側本体１０（操作部側筐体１３）に対してスライド移動されて第２スライド移動位置に位置させることが可能なように構成されている。なお、表示部側本体３０が第２スライド移動位置に位置する状態を第２スライド状態とする。また、携帯電話機１００が第２スライド状態である場合には、第２操作キー領域Ｂが露出されるように構成されている。なお、第２スライド移動位置は、本発明の「スライド移動位置」の一例であり、第２操作キー領域Ｂは、本発明の「第２の操作キー領域」の一例である。
【００３０】
また、図２に示すように、操作部側本体１０と表示部側本体３０とは、操作部側本体１０と表示部側本体３０との間に配置された板金製（金属製）のスライドプレート５０を介して接続されている。
【００３１】
ここで、スライド機構について説明する。まず、図２に示すように、操作部側本体１０を構成する金属製の蓋部材１１に、一対のガイド部１１ａが一体的に形成されている。この一対のガイド部１１ａは、Ｘ方向に沿って延びるように形成されている。また、一対のガイド部１１ａは、それぞれ、樹脂製のスライド部材５１を保持することが可能であるように構成されている。
【００３２】
また、図２に示すように、表示部側本体３０を構成するケーシング部材３２には、一対のガイド部３２ａが一体的に形成されている。この一対のガイド部３２ａは、Ｙ方向に沿って延びるように形成されている。また、一対のガイド部３２ａは、それぞれ、樹脂製のスライド部材５２を保持することが可能であるように構成されている。
【００３３】
また、図２に示すように、スライドプレート５０は、略矩形状の平坦部５０ａと、平坦部５０ａの縁部に板金の折り曲げ加工などによって一体的に形成されたエッジ部５０ｂおよび５０ｃとが形成されている。また、エッジ部５０ｂは、平坦部５０ａのＹ方向の端部に沿ってＸ方向に延びるように一対設けられるとともに、エッジ部５０ｃは、平坦部５０ａのＸ方向の端部に沿ってＹ方向に延びるように一対設けられている。
【００３４】
したがって、スライドプレート５０は、図５に示すように、ガイド部３２ａに保持されたスライド部材５２に沿ってエッジ部５０ｃが嵌め込まれた状態で、スライド部材５２を介して表示部側本体３０のケーシング部材３２に対してＹ方向にスライド移動されるように構成されている。これにより、表示部側本体３０が図３および図５に示す初期状態からＹ１側にスライド移動されて第１スライド移動位置に位置させることによって、携帯電話機１００は、図１および図６に示す第１スライド状態になるように構成されている。また、表示部側本体３０が図１および図６に示す第１スライド状態からＹ２側にスライド移動されて初期位置に位置させることによって、携帯電話機１００は、図３および図５に示す初期状態になるように構成されている。なお、Ｙ方向は、本発明の「第１方向」の一例である。
【００３５】
また、スライドプレート５０は、図７に示すように、ガイド部１１ａに保持されたスライド部材５１に沿ってエッジ部５０ｂが嵌め込まれた状態で、スライド部材５１を介してＹ方向に対して直交するＸ方向に沿ってスライド移動されるように構成されている。これにより、スライドプレート５０が図７に示す初期状態からＸ１側にスライド移動されて第２スライド移動位置に位置させることによって、図８に示す第２スライド状態になるように構成されている。また、スライドプレート５０が図８に示す第２スライド状態からＸ２側にスライド移動されて初期位置に位置させることによって、図７に示す初期状態になるように構成されている。なお、Ｘ方向は、本発明の「第２方向」の一例である。
【００３６】
また、スライドプレート５０が表示部側本体３０のガイド部３２ａに保持されていることによって、スライドプレート５０のＸ方向のスライド移動に伴って、表示部側本体３０もＸ方向にスライド移動されるように構成されている。これにより、表示部側本体３０が図３に示す初期状態からＸ１側にスライド移動されて第２スライド移動位置に位置させることによって、携帯電話機１００は、図４に示す第２スライド状態になるように構成されている。また、表示部側本体３０が図４に示す第２スライド状態からＸ２側にスライド移動されて初期位置に位置させることによって、携帯電話機１００は、図３に示す初期状態になるように構成されている。
【００３７】
本実施形態では、上述のようなスライド機構を備えることによって、ユーザが表示部側本体３０を操作部側本体１０に対してＸ方向またはＸ方向に対して直交するＹ方向にスライドさせた状態で携帯電話機１００を使用することが可能とされている。すなわち、図３に示す初期状態からユーザが表示部側本体３０をＹ１側にスライド移動させた場合、図１に示すように、第１スライド状態において、操作キー部１５のうちの操作部側本体１０の上面（Ｚ１側の面）に露出する第１操作キー領域Ａに対応する後述する複数の操作キー４０を使用して携帯電話機１００を操作することが可能であるように構成されている。また、図３に示す初期状態からユーザが表示部側本体３０をＸ１方向にスライド移動させた場合、図４に示すように、第２スライド状態において、操作キー部１５のうちの操作部側本体１０の上面に露出する第２操作キー領域Ｂに対応する複数の操作キー４０を使用して携帯電話機１００を操作することが可能であるように構成されている。
【００３８】
また、図２に示すように、ケーシング部材３２とスライドプレート５０との間に、ねじりバネからなるバネ部材５３が回動可能に取り付けられている。具体的には、バネ部材５３のリング状の端部５３ａが、ケーシング部材３２の下面側（Ｚ２側）にＺ２側に突出するように設けられたボス部３２ｂ（破線で示す）に対して回動可能に係合されるとともに、バネ部材５３のリング状の端部５３ｂが、スライドプレート５０の平坦部５０ａの上面側に設けられたボス部５０ｄに対して回動可能に係合されている。
【００３９】
これにより、表示部側本体３０が操作部側本体１０の上に完全に重ねられた状態（図３の初期状態）では、バネ部材５３が図５に示す位置に配置されることにより、バネ部材５３の弾性力を利用してケーシング部材３２が常にＹ２側に押し付けられるように構成されている。一方、ユーザが表示部側本体３０（図１および図３参照）を操作部側本体１０に対してＹ１側にスライド移動させ始めると、ケーシング部材３２のボス部３２ｂがスライドプレート５０のボス部５０ｄに対してＹ１側に移動することにより、バネ部材５３は、端部５３ａを回動中心としてα方向に徐々に回動されるように構成されている。なお、バネ部材５３がα方向に回動し始める際、バネ部材５３は端部５３ａと５３ｂとの距離が縮められるように変形するので、ユーザは、バネ部材５３のＹ２側への付勢力に抗して表示部側本体３０をＹ１側にスライド移動させることになる。また、上記のスライド動作においてバネ部材５３がα方向へ回動される際、バネ部材５３の回動動作の途中で、バネ部材５３の付勢力がＹ２方向からＹ１方向に切り替わるように構成されている。そして、表示部側本体３０のＹ１側へのスライド移動が完全に行われた状態（図１の第１スライド状態）では、バネ部材５３は図６に示した位置に配置されることにより、バネ部材５３の弾性力を利用してケーシング部材３２が常にＹ１側に押し付けられるように構成されている。また、表示部側本体３０をＹ１側からＹ２側へスライドさせる場合も、スライド動作の途中で、バネ部材５３は、上述とは反対方向（β方向）に回動しながら付勢力の方向がＹ１側からＹ２側へ切り替わるように構成されている。このように、ユーザが表示部側本体３０をＹ方向に往復移動させる際は、バネ部材５３の回動に伴う付勢方向の変化を利用して表示部側本体３０（（図１および図３参照）のスライド動作をアシストするように構成されている。なお、図５および図６では、図面の都合上、スライドと同時に露出する操作キー部１５を除いた状態で図示している。
【００４０】
また、図２に示すように、蓋部材１１とスライドプレート５０との間に、ねじりバネからなるバネ部材５４が回動可能に取り付けられている。具体的には、バネ部材５４のリング状の端部５４ａが、蓋部材１１にＺ１側に突出するように設けられたボス部１１ｂに対して回動可能に係合されるとともに、バネ部材５４のリング状の端部５４ｂが、スライドプレート５０の平坦部５０ａの下面側に設けられたボス部５０ｅ（破線で示す）に対して回動可能に係合されている。
【００４１】
これにより、表示部側本体３０が操作部側本体１０の上に完全に重ねられた状態（図３の初期状態）では、バネ部材５４が図７に示す位置に配置されることにより、バネ部材５４の弾性力を利用してケーシング部材３２が常にＸ２側に押し付けられるように構成されている。一方、ユーザが表示部側本体３０（図３参照）を操作部側本体１０に対してＸ１側にスライドさせ始めると、図８に示すように、スライドプレート５０のボス部５０ｅが蓋部材１１のボス部１１ｂに対してＸ１方向に移動することにより、バネ部材５４は端部５４ａを回動中心としてβ方向に徐々に回動されるように構成されている。なお、バネ部材５４がβ方向に回動し始める際、バネ部材５４は端部５４ａと５４ｂとの距離が縮められるように変形するので、ユーザは、バネ部材５４のＸ２側への付勢力に抗して表示部側本体３０をＸ１側にスライド移動させることになる。また、上記のスライド動作においてバネ部材５４がβ方向へ回動される際、バネ部材５４の回動動作の途中で、バネ部材５４の付勢力がＸ２方向からＸ１方向に切り替わるように構成されている。そして、表示部側本体３０のＸ１側へのスライド移動が完全に行われた状態（図４の第２スライド状態）では、バネ部材５４は図８に示した位置に配置されることにより、バネ部材５４の弾性力を利用してケーシング部材３２が常にＸ１側に押し付けられるように構成されている。なお、表示部側本体３０をＸ１側からＸ２側へスライドさせる場合も、スライド動作の途中で、バネ部材５４は、上述とは反対方向（α方向）に回動しながら付勢力の方向がＸ１側からＸ２側へ切り替わるように構成されている。このように、ユーザが表示部側本体３０をＸ方向に往復移動させる際は、バネ部材５４の回動に伴う付勢方向の変化を利用して、表示部側本体３０（図３および図４参照）のスライド動作をアシストするように構成されている。なお、図７および図８では、図面の都合上、スライドプレート５０上のケーシング部材３２を除いた状態で図示している。
【００４２】
また、本実施形態では、図２および図５に示すように、スライドプレート５０の平坦部５０ａのＸ２側で、かつ、Ｙ２側には、上方（Ｚ１側）に向かって突出する突起部５０ｆが形成されている。また、ケーシング部材３２の下面側（Ｚ２側）には、突起部５０ｆに対応するように、突起部５０ｆとの接触を機械的に検出するメカニカルセンサからなる第１位置検出センサ２０（破線で示す）が配置されている。この第１位置検出センサ２０の突出片２０ａは、図９に示すように、表示部側本体３０が第１スライド移動位置に位置する際に、突起部５０ｆと接触して上方（Ｚ１側）に押し上げられるように構成されている。これにより、表示部側本体３０が、第１スライド移動位置に位置することが第１位置検出センサ２０によって検出されるように構成されている。なお、第１位置検出センサ２０は、本発明の「第１センサ」の一例である。
【００４３】
また、本実施形態では、図２および図７に示すように、スライドプレート５０の平坦部５０ａのＸ２側で、かつ、Ｙ１側には、下方（Ｚ２側）に向かって突出する突起部５０ｇ（破線で示す）が形成されている。また、蓋部材１１には、突起部５０ｇに対応するように、突起部５０ｇとの接触を機械的に検出するメカニカルセンサからなる第２位置検出センサ２１が配置されている。この第２位置検出センサ２１の突出片２１ａは、図１０に示すように、スライドプレート５０が第２スライド移動位置に位置する際に、突起部５０ｇと接触して下方（Ｚ２側）に押し下げられるように構成されている。これにより、スライドプレート５０および表示部側本体３０が、第２スライド移動位置に位置することが第２位置検出センサ２１によって検出されるように構成されている。なお、第２位置検出センサ２１は、本発明の「第２センサ」の一例である。
【００４４】
また、図１１に示すように、操作部側本体１０の操作キー部１５は、部分的に重複した第１操作キー領域Ａおよび第２操作キー領域Ｂを含むＬ字形状を有する。また、操作キー部１５は、シート基材１５ａ、緑色反射シート１５ｂ、青色反射シート１５ｃおよび赤色反射シート１５ｄを含んでいる。操作キー部１５は、シート基材１５ａに対して緑色反射シート１５ｂ、青色反射シート１５ｃおよび赤色反射シート１５ｄが蒸着により積層された４層構造を有する。また、シート基材１５ａは、操作キー部１５の表面（操作面）側に配置された樹脂材料からなるシートである。シート基材１５ａには、複数の凸形状の操作キー４０が固定的に形成されている。具体的には、シート基材１５ａの操作キー４０に対応する部分は凸部として形成されるとともに、シート基材１５ａの操作キー４０以外の部分は凹部４１として形成されている。操作キー部１５は、各操作キー４０および凹部４１に、それぞれの操作キー４０に割り当てられた数字、文字または記号を表示可能なように構成されている。凸形状の複数の操作キー４０と、各操作キー４０間の凹部４１とは、シート基材１５ａに一体的に形成されている。
【００４５】
緑色反射シート１５ｂは、緑色光のみを選択的に反射し、緑色光以外の光を透過する機能を有する。この緑色反射シート１５ｂには、第１操作キー領域Ａに含まれる１６個の矩形状の操作キー４０に対応する位置に、１〜１６までの数字からなる表示パターンＰ１（図１参照）を表示するための複数の開口部Ｐ１ａが個別に形成されている。また、緑色反射シート１５ｂには、第１操作キー領域Ａに含まれる円形状の操作キー４０に対応する位置に、４方向（Ｘ１、Ｘ２、Ｙ１およびＹ２方向）の矢印の表示パターンＰ１（図１参照）を表示するための複数の開口部Ｐ１ａが個別に形成されている。このため、操作キー部１５の下方から照射された緑色光が表示パターンＰ１の形状を有する開口部Ｐ１ａを通過するとともに、緑色反射シート１５ｂの開口部Ｐ１ａ以外の部分では緑色光が反射されるように構成されている。これにより、操作キー部１５の各操作キー４０（シート基材１５ａ）には、緑色反射シート１５ｂの開口部Ｐ１ａを通過した緑色光により、各表示パターンＰ１（１〜１６の数字および４方向の矢印の形状）（図１参照）が緑色に光りながら表示されるように構成されている。
【００４６】
青色反射シート１５ｃは、青色光のみを選択的に反射し、青色光以外の光を透過する機能を有する。この青色反射シート１５ｃには、第２操作キー領域Ｂに含まれる３９個の矩形状の操作キー４０に対応する位置に、アルファベットの文字（Ａ〜ＺおよびＡ´〜Ｍ´）の表示パターンＰ２（図４参照）を表示するための複数の開口部Ｐ２ａが個別に形成されている。このため、操作キー部１５の下方から照射された青色光が表示パターンＰ２の形状を有する開口部Ｐ２ａを通過するとともに、青色反射シート１５ｃの開口部Ｐ２ａ以外の部分では青色光が反射されるように構成されている。これにより、文字入力モードにおいて操作キー部１５の各操作キー４０（シート基材１５ａ）には、青色反射シート１５ｃの開口部Ｐ２ａを通過した青色光により、各表示パターンＰ２（アルファベット（Ａ〜ＺおよびＡ´〜Ｍ´））（図４参照）が青色に光りながら表示されるように構成されている。
【００４７】
赤色反射シート１５ｄは、赤色光のみを選択的に反射し、赤色光以外の光を透過する機能を有する。この赤色反射シート１５ｄには、複数の操作キー４０および凹部４１を用いる操作ボタン４２（４２ａ〜４２ｅ）（図１２参照）を表示するための複数の開口部Ｐ３ａが、第２操作キー領域Ｂの各操作ボタン４２に対応する位置にそれぞれ形成されている。このため、操作キー部１５の下方から照射された赤色光が操作ボタン４２の形状を有する開口部Ｐ３ａを通過するとともに、赤色反射シート１５ｄの開口部Ｐ３ａ以外の部分では赤色光が反射されるように構成されている。これにより、動画再生モードにおいて操作キー部１５の各操作キー４０（シート基材１５ａ）には、赤色反射シート１５ｄの開口部Ｐ３ａを通過した赤色光により、操作ボタン４２（４２ａ〜４２ｅ）（図１２参照）が赤色に光りながら表示されるように構成されている。
【００４８】
また、操作キー部１５の下側には、導光板１５１が配置されるとともに、緑色、青色および赤色の照明光を照射する４個の発光部１５２が導光板１５１の側端面１５１ａに設けられている。
【００４９】
導光板１５１は、側端面１５１ａから入射された照明光を表面全体に均一に発光させる機能を有する。これにより、４個の発光部１５２からの照明光によって緑色、青色および赤色のそれぞれの照明光を操作キー部１５の全体に下方から照射するように構成されている。
【００５０】
発光部１５２は、緑色ＬＥＤ（Ｌｉｇｈｔ  Ｅｍｉｔｔｉｎｇ  Ｄｉｏｄｅ）１５２ａ、青色ＬＥＤ１５２ｂおよび赤色ＬＥＤ１５２ｃの３つのＬＥＤを含んでいる。この発光部１５２が緑色ＬＥＤ１５２ａ、青色ＬＥＤ１５２ｂおよび赤色ＬＥＤ１５２ｃのそれぞれを用いて緑色光、青色光および赤色光を導光板１５１に個別に照射するように構成されている。
【００５１】
本実施形態では、これらの各操作キー４０の表示は、３つの表示モード（通話モード、文字入力モードおよび動画再生モード）に切り替え可能に構成されている。すなわち、操作キー部１５は、緑色、青色および赤色のうちいずれか１色の照明光を下方から操作キー部１５に対して照射することによって、緑色の表示パターンＰ１を表示する通話モード（図１参照）、青色の表示パターンＰ２を表示する文字入力モード（図４参照）および赤色の操作ボタン４２を表示する動画再生モード（図４参照）のいずれか１つを選択して、切り替え可能に表示するように構成されている。そして、各操作キー４０は、それぞれの表示モードにおいて各操作キー４０に表示される数字、文字または記号に対応する操作入力を受け付けるように構成されている。
【００５２】
具体的には、通話モードでは、図１に示すように、単一の操作キー４０を用いて単一の意味（１〜１６までの数字および４方向の矢印の各々）を有する表示パターンＰ１が、それぞれの操作キー４０に表示されるように構成されている。この通話モードでは、携帯電話機１００を縦方向（Ｙ１方向）にスライドさせた場合に表示パターンＰ１が表示されるように構成されている。
【００５３】
文字入力モードでは、図４に示すように、単一の操作キー４０を用いて単一の意味（アルファベットの文字（Ａ〜ＺおよびＡ´〜Ｍ´）の各々）を有する表示パターンＰ２が、それぞれの操作キー４０に表示されるように構成されている。この文字入力モードでは、携帯電話機１００を横方向（Ｘ１方向）にスライドさせた場合に表示パターンＰ２が表示されるように構成されている。
【００５４】
また、動画再生モードは、携帯電話機１００を用いて動画再生機能を実行する場合（表示部３４に動画が表示されている場合）に複数の操作キー４０を用いて動画再生機能に使用する操作ボタン４２を大きく表示することによって、動画再生のための操作に対応させた表示モードである。この動画再生モードでは、複数の操作キー４０を用いて単一の意味を有する操作ボタン４２を大きく表示するように構成されている。具体的には、図１２に示すように、それぞれ６つの操作キー４０を用いて巻き戻しボタン４２ａ、停止ボタン４２ｂ、一時停止ボタン４２ｃおよび早送りボタン４２ｅの表示パターンが大きく表示されるとともに、４つの操作キーを用いて再生ボタン４２ｄの表示パターンが大きく表示されている。なお、これらの５つの操作ボタン４２のＹ１方向側の操作キー４０には、個別に「次チャプター」や、「前チャプター」などの操作ボタンが表示されている。
【００５５】
また、本実施形態では、上述の動画再生モードでは、複数の操作キー４０に加えて複数の操作キー４０の間の凹部４１も用いて操作ボタン４２の表示を行うように構成されている。このため、各操作ボタン４２には、複数の操作キー４０と各操作キー４０間の凹部４１とを用いてそれぞれ単一の意味を示す図柄（「停止」を意味する矩形状の図柄や、「再生」を意味する三角形状の図柄など）の表示パターンが連続的に表示されている。また、各操作ボタン４２は、単一の意味を有する複数の操作キー４０（操作ボタン４２に含まれる操作キー４０）のうち、少なくとも１つの操作キー４０が押し下げられた場合に操作指示が有効になるように構成されている。たとえば、動作再生中に停止ボタン４２ｂの表示領域に含まれる６つの操作キー４０の内のいずれか１つでも押下された場合には、動画再生の停止指示が有効となるように構成されている。
【００５６】
また、図５に示すように、これらの４層の操作キー部１５および導光板１５１の下面側に、スイッチ基板１６が配置されている。スイッチ基板１６は、メンブレン方式を用いたキー入力回路が形成されたＦＰＣ基板からなる。スイッチ基板１６には、操作キー部１５の各操作キー４０に対応する位置にスイッチ部１６ａがそれぞれ配置されている。このスイッチ基板１６のスイッチ部１６ａにより、ユーザによる操作キー４０の押下入力を検出するように構成されている。このスイッチ基板１６は、蓋部材１１の上面に固定的に取り付けられるとともに、図示しないリード部が蓋部材１１に設けられた穴部１１ｃを介して操作回路基板１４に接続されている。
【００５７】
また、図２に示すように、表示部側操作キー部３５は、図１１に示す操作キー部１５と同様に、シート基材、緑色反射シート、青色反射シートおよび赤色反射シートを含んでいるとともに、表示部側操作キー部３５の下側には、導光板と緑色ＬＥＤ１３５ａ（図１３参照）、青色ＬＥＤ１３５ｂ（図１３参照）および赤色ＬＥＤ１３５ｃ（図１３参照）を有する発光部１３５（図１３参照）とが配置されている。また、表示部側操作キー部３５には、複数の凸形状の操作キー４３とユーザによる上下左右の操作に反応する球形操作部４４とが固定的に形成されている。
【００５８】
また、表示部側操作キー部３５は、各操作キー４３に、それぞれの操作キー４３に割り当てられたパターンを表示可能なように構成されている。具体的には、緑色反射シートには、操作キー４３に対応する位置に、表示パターンＰ１１（通話を示すパターン、終話を示すパターン、メニューを開くためのパターン、基本表示に戻すためのパターン、電話番号の検索をするためのパターン、および前に開いた画面に戻るためのパターン）（図１参照）を表示するための複数の開口部（図示せず）が個別に形成されている。これらの表示パターンＰ１１は、通話モードにおいて操作キー部１５に表示される１〜１６までの数字からなる表示パターンＰ１および４方向（Ｘ１、Ｘ２、Ｙ１およびＹ２方向）の矢印の表示パターンＰ１（図１および図３参照）と対応するように、表示部側操作キー部３５に表示されるように構成されている構成されている。
【００５９】
また、青色反射シートおよび赤色反射シートには、操作キー４３に対応する位置に、表示パターンＰ１２（通話を示すパターン、終話を示すパターン、メニューを開くためのパターン、基本表示に戻すためのパターン、メールに関するメニューを開くためのパターン、および文字入力カーソル（図示せず）を移動させるためのパターン）（図４および図１２参照）を表示するための複数の開口部（図示せず）が個別に形成されている。これらのパターンＰ１２は、文字入力モードおよび動画再生モードにおいて操作キー部１５に表示されるアルファベットの文字（Ａ〜ＺおよびＡ´〜Ｍ´）の表示パターンＰ２（図４参照）および操作ボタン４２（図１２参照）と対応するように構成されている。
【００６０】
これにより、表示部側操作キー部３５の各操作キー４３には、通話モード時に、表示パターンＰ１１（図１参照）が緑色に光りながら表示されるように構成されている。また、表示部側操作キー部３５の各操作キー４３には、文字入力モード時または動画再生モード時に、表示パターンＰ１２（図４および図１２参照）が青色または赤色に光りながら表示されるように構成されている。
【００６１】
また、スイッチ基板３６は、メンブレン方式を用いたキー入力回路が形成されたＦＰＣ基板からなる。スイッチ基板３６には、表示部側操作キー部３５の各操作キー４３に対応する位置にスイッチ部３６ａがそれぞれ配置されている。このスイッチ基板３６のスイッチ部３６ａにより、ユーザによる操作キー４３の押下入力を検出するように構成されている。
【００６２】
また、図１３に示すように、携帯電話機１００の操作回路基板１４は、ＣＰＵ（Ｃｅｎｔｒａｌ  Ｐｒｏｃｅｓｓｉｎｇ  Ｕｎｉｔ）１４ａと、ＲＡＭ（Ｒａｎｄｏｍ  Ａｃｃｅｓｓ  Ｍｅｍｏｒｙ）１４ｂと、ＲＯＭ（Ｒｅａｄ  Ｏｎｌｙ  Ｍｅｍｏｒｙ）１４ｃと、不揮発性メモリとしてのフラッシュメモリ１４ｄと、音声処理回路１４ｅと、通信回路１４ｆと、Ｉ／Ｆ（Ｉｎｔｅｒｆａｃｅ）部１４ｇとを備えている。なお、ＣＰＵ１４ａは、本発明の「制御部」の一例である。
【００６３】
また、ＣＰＵ１４ａは、ＲＯＭ１４ｃに記憶されたプログラムに基づき、ＲＡＭ１４ｂを作業領域として用いて各種演算処理を行うことにより、携帯電話機１００全体の制御を行うように構成されている。また、ＣＰＵ１４ａは、操作キー部１５の発光部１５２の緑色ＬＥＤ１５２ａ、青色ＬＥＤ１５２ｂおよび赤色ＬＥＤ１５２ｃのうち、発光させるＬＥＤを切り替えるように制御するように構成されている。また、ＣＰＵ１４ａは、表示部側操作キー部３５の発光部１３５の緑色ＬＥＤ１３５ａ、青色ＬＥＤ１３５ｂおよび赤色ＬＥＤ１３５ｃのうち、発光させるＬＥＤを切り替えるように制御するように構成されている。
【００６４】
また、ＣＰＵ１４ａは、Ｉ／Ｆ部１４ｇを介して第１位置検出センサ２０と接続されており、第１位置検出センサ２０からの信号を検出することによって、表示部側本体３０が第１スライド移動位置に位置することを認識するように構成されている。また、ＣＰＵ１４ａは、Ｉ／Ｆ部１４ｇを介して第２位置検出センサ２１と接続されており、第２位置検出センサ２１からの信号を検出することによって、スライドプレート５０および表示部側本体３０が第２スライド移動位置に位置することを認識するように構成されている。また、ＣＰＵ１４ａは、スイッチ基板１６および３６と、それぞれＩ／Ｆ部１４ｇを介して接続されている。
【００６５】
また、ＲＡＭ１４ｂは、ＣＰＵ１４ａによる制御に伴い生成される一時データなどを書き換え可能に記憶する機能を有する。また、ＲＯＭ１４ｃには、動画再生用ソフトウェアを含むＣＰＵ１４ａによる各種の機能を実現させるためのプログラムと、携帯電話機１００の通話モード、文字入力モードおよび動画再生モードに関するそれぞれの制御プログラムとが記憶されている。また、ＣＰＵ１４ａは、通話モード、文字入力モードまたは動画再生モードのうちいずれか１つを選択することによって、モードを切り替えることが可能なように構成されている。それに伴い、操作キー部１５の操作キー４０に表示される表示パターンＰ１、Ｐ２または操作ボタン４２と、表示部側操作キー部３５の操作キー４３に表示される表示パターンＰ１１またはＰ１２とが切り替えられるように構成されている。また、フラッシュメモリ１４ｄには、動画データが記憶されている。なお、動画再生用ソフトウェアは、本発明の「ソフトウェア」の一例である。
【００６６】
ここで、本実施形態では、通話モードは、携帯電話機１００を用いて、ユーザが他者の携帯電話機（図示せず）などと通話を行うモードである。携帯電話機１００では、表示部側本体３０が第１位置検出センサ２０によって第１スライド移動位置に位置することが検出された際に、ＣＰＵ１４ａによって、図１に示す第１スライド状態における通話モードに切り替えられるように構成されている。また、通話モードに切り替えられることに伴い、操作キー部１５の操作キー４０に表示パターンＰ１が緑色で表示されるとともに、表示部側操作キー部３５の操作キー４３に表示パターンＰ１１が緑色で表示されるように切り替えられるように構成されている。また、通話モードでは、図１３に示すように、ＣＰＵ１４ａは、音声を出力するスピーカ６０と、ユーザからの音声入力を受け付けるマイク６１とを音声処理回路１４ｅを用いて制御する。また、ＣＰＵ１４ａは、アンテナ６２を介して、基地局（図示せず）と通信を行うための信号を通信回路１４ｆを用いて制御するように構成されている。
【００６７】
また、本実施形態では、文字入力モードは、携帯電話機１００を用いて、文字入力を行うモードである。携帯電話機１００では、表示部側本体３０が第２位置検出センサ２１によって第２スライド移動位置に位置することが検出された際に、ＣＰＵ１４ａによって、図４に示す第２スライド状態における文字入力モードに切り替えられるように構成されている。また、文字入力モードに切り替えられることに伴い、操作キー部１５の操作キー４０に表示パターンＰ２が青色で表示されるとともに、表示部側操作キー部３５の操作キー４３に表示パターンＰ１２が青色で表示されるように切り替えられるように構成されている。ここで、文字入力モードに切り替えられた際には、ユーザによって文字を入力する所定のソフトウェア（アプリケーション）の起動の有無に関係なく、自動的に、表示パターンＰ２が対応する操作キー４０の位置で青色で表示されるように構成されている。
【００６８】
また、動画再生モードは、動画再生用ソフトウェアが起動されている状態で、動画再生に関する操作を行うモードである。携帯電話機１００は、図４に示す第２スライド状態において、ユーザが所定のメニュー選択操作を行うことにより動画再生用ソフトウェアが起動された際に、ＣＰＵ１４ａによって、図１２に示す動画再生モードに切り替えられるように構成されている。さらに、携帯電話機１００は、表示部側本体３０が図３に示す初期状態から第２スライド移動位置に所定の時間内で連続的に移動された際に、ＣＰＵ１４ａによって、動画再生用ソフトウェアが起動されるのと同時に図１２に示す動画再生モードに切り替えられるように構成されている。また、動画再生モードに切り替えられることに伴い、操作キー部１５の操作キー４０に操作ボタン４２が赤色で表示されるとともに、表示部側操作キー部３５の操作キー４３に表示パターンＰ１２が赤色で表示されるように切り替えられるように構成されている。
【００６９】
また、図１３に示すように、ＣＰＵ１４ａは、動画再生モードが選択されると、ＲＯＭ１４ｃから動画再生用ソフトウェアを読み込むとともに、フラッシュメモリ１４ｄに格納された動画データを読み出して表示画面部３４および音声処理回路１４ｅを制御することにより、動画再生を行うことが可能なように構成されている。
【００７０】
次に、図１、図３、図４および図１１〜図１４を参照して、本発明の一実施形態による携帯電話機１００のモード切り替え時の制御フローについて説明する。
【００７１】
まず、図１４に示すように、ステップＳ１において、ＣＰＵ１４ａ（図１３参照）によって、表示部側本体３０（図１参照）が第１スライド移動位置（図１参照）に移動されたことを示す第１位置検出センサ２０（図１３参照）からの信号を検出したか否かが判断される。そして、ステップＳ１において、ＣＰＵ１４ａによって、第１位置検出センサ２０からの信号を検出したと判断された場合には、ステップＳ２に進み、通話モードに切り替えられる。そして、操作キー部１５（図１参照）の緑色ＬＥＤ１５２ａ（図１３参照）および表示部側操作キー部３５（図１参照）の緑色ＬＥＤ１３５ａ（図１３参照）を点灯させる。これにより、図１に示すように、操作キー部１５における第１操作キー領域Ａには、各表示パターンＰ１（１〜１６の数字および４方向の矢印の形状）が緑色に光りながら表示されるとともに、表示部側操作キー部３５の各操作キー４３には、表示パターンＰ１１が緑色に光りながら表示される。そして、携帯電話機１００のモード切り替え時の制御が終了される。また、ステップＳ１において、ＣＰＵ１４ａによって、第１位置検出センサ２０からの信号を検出していないと判断された場合には、ステップＳ３に進む。
【００７２】
そして、ステップＳ３において、ＣＰＵ１４ａによって、表示部側本体３０が第２スライド移動位置（図４参照）に移動されたことを示す第２位置検出センサ２１（図１３参照）からの信号を検出したか否かが判断される。そして、ステップＳ３において、ＣＰＵ１４ａによって、第２位置検出センサ２１からの信号を検出していないと判断された場合には、ステップＳ１に戻る。また、ステップＳ３において、ＣＰＵ１４ａによって、第２位置検出センサ２１からの信号を検出したと判断された場合には、ステップＳ４に進む。
【００７３】
次に、ステップＳ４において、ＣＰＵ１４ａによって、ユーザが所定のメニュー選択操作を行うことにより動画再生用ソフトウェア（図１３参照）が起動されたか否かが判断される。そして、ステップＳ４において、ＣＰＵ１４ａによって、動画再生用ソフトウェアが起動されたと判断された場合には、ステップＳ５に進み、動画再生モードに切り替えられる。そして、操作キー部１５の赤色ＬＥＤ１５２ｃ（図１３参照）および表示部側操作キー部３５の赤色ＬＥＤ１３５ｃ（図１３参照）を点灯させる。これにより、図１２に示すように、操作キー部１５における第２操作キー領域Ｂには、操作ボタン４２が赤色に光りながら表示されるとともに、表示部側操作キー部３５の各操作キー４３には、表示パターンＰ１２が赤色に光りながら表示される。そして、携帯電話機１００のモード切り替え時の制御が終了される。また、ステップＳ４において、ＣＰＵ１４ａによって、動画再生用ソフトウェアが起動されていないと判断された場合には、ステップＳ６に進む。
【００７４】
また、ステップＳ６において、ＣＰＵ１４ａによって、表示部側本体３０が初期状態（図３参照）から第２スライド移動位置（図４参照）に所定の時間内で連続的に移動されることによって、第２位置検出センサ２１から連続的に信号が発せられたか否かが判断される。そして、ステップＳ６において、ＣＰＵ１４ａによって、第２位置検出センサ２１からの連続的な信号を検出したと判断された場合には、ステップＳ５に進み、操作キー部１５および表示部側操作キー部３５において、上記した動画再生モードにおける表示が行われる。そして、携帯電話機１００のモード切り替え時の制御が終了される。また、ステップＳ６において、ＣＰＵ１４ａによって、第２位置検出センサ２１からの連続的な信号を検出していないと判断された場合には、ステップＳ７に進み、文字入力モードに切り替えられる。そして、操作キー部１５の青色ＬＥＤ１５２ｂ（図１３参照）および表示部側操作キー部３５の青色ＬＥＤ１３５ｂ（図１３参照）を点灯させる。これにより、図４に示すように、操作キー部１５における第２操作キー領域Ｂには、各表示パターンＰ２（アルファベット（Ａ〜ＺおよびＡ´〜Ｍ´））が青色に光りながら表示されるとともに、表示部側操作キー部３５の各操作キー４３には、表示パターンＰ１２が青色に光りながら表示される。そして、携帯電話機１００のモード切り替え時の制御が終了される。
【００７５】
本実施形態では、上記のように、表示部側本体３０（表示部側筐体３３）を第１スライド移動位置に位置させた際に、通話モードに切り替えて、ＣＰＵ１４ａが、操作キー部１５の操作キー４０に表示パターンＰ１が表示されるように切り替えるとともに、表示部側本体３０を第２スライド移動位置に位置させた際に、文字入力モードに切り替えて、ＣＰＵ１４ａが、操作キー部１５の操作キー４０に表示パターンＰ２が表示されるように切り替えるように構成することによって、携帯電話機１００の使用時に、ユーザは表示部側筐体３３をスライド移動させるだけで、文字を入力する所定のソフトウェア（アプリケーション）を起動させる操作を行うことなく、操作キー部１５に表示される表示パターンを切り替えることができる。これにより、スライド式の携帯電話機１００において、操作キー部１５に表示される表示パターンを切り替える際に、ユーザの操作が煩雑になるのを抑制することができる。また、第１スライド移動位置および第２スライド移動位置に応じて操作キー部１５の表示パターンを切り替えることができるので、ユーザの操作に適した表示パターンを操作キー部１５に表示させることができる。
【００７６】
また、本実施形態では、上記のように、表示部側本体３０が第１位置検出センサ２０によって第１スライド移動位置に位置することが検出された際に、ＣＰＵ１４ａによって、操作キー部１５の操作キー４０に表示パターンＰ１が表示されるとともに、表示部側操作キー部３５の操作キー４３に表示パターンＰ１１が表示されるように切り替えられるように構成するとともに、表示部側本体３０が第２位置検出センサ２１によって第２スライド移動位置に位置することが検出された際に、ＣＰＵ１４ａによって、操作キー部１５の操作キー４０に表示パターンＰ２が表示されるとともに、表示部側操作キー部３５の操作キー４３に表示パターンＰ１２が表示されるように切り替えられるように構成する。これによって、第１位置検出センサ２０および第２位置検出センサ２１により、表示部側筐体３３の第１スライド移動位置および第２スライド移動位置に応じて、容易に、ユーザの操作に適した表示パターンを操作キー部１５および表示部側操作キー部３５に表示させることができる。
【００７７】
また、本実施形態では、上記のように、ユーザが所定のメニュー選択操作を行うことにより動画再生用ソフトウェアが起動された際および表示部側本体３０が初期位置から第２スライド移動位置に連続的に移動された際に、ＣＰＵ１４ａによって、操作キー部１５に、動画再生のための操作に対応した操作ボタン４２が表示されるように切り替えられるように構成する。これによって、第２スライド移動位置において起動されるソフトウェアが動画再生用ソフトウェアに切り替えられた場合であっても、切り替えられた動画再生用ソフトウェアの操作に適した操作ボタン４２を操作キー部１５に表示させることができる。
【００７８】
また、本実施形態では、上記のように、ＣＰＵ１４ａによって、発光部１５２の緑色ＬＥＤ１５２ａ、青色ＬＥＤ１５２ｂおよび赤色ＬＥＤ１５２ｃのうち、発光させるＬＥＤを切り替えることによって、操作キー部１５に表示される表示パターン（表示パターンＰ１、表示パターンＰ２、操作ボタン４２）を異なる色（緑色、青色および赤色）で表示するように切り替える。これによって、第１スライド移動位置および第２スライド移動位置に対応する複数の表示パターンのうち、いずれの表示パターンが操作キー部１５に表示されているかをユーザに認識させやすくすることができる。
【００７９】
また、本実施形態では、上記のように、携帯電話機１００が第１スライド状態である場合には、操作キー部１５における第１操作キー領域Ａが露出されて、操作キー部１５における第１操作キー領域Ａに位置する表示パターンＰ１が表示されるとともに、携帯電話機１００が第２スライド状態である場合には、操作キー部１５における第２操作キー領域Ｂが露出されて、操作キー部１５における第２操作キー領域Ｂに位置する表示パターンＰ２または操作ボタン４２が表示されるように構成することによって、表示部側本体３０（表示部側筐体３３）が第１スライド移動位置または第２スライド移動位置に位置する際に露出される第１操作キー領域Ａまたは第２操作キー領域Ｂに応じて、ユーザの操作に適した表示パターン（表示パターンＰ１、表示パターンＰ２または操作ボタン４２）を表示させることができる。
【００８０】
また、本実施形態では、上記のように、表示部側操作キー部３５に表示される表示パターンＰ１１を、操作キー部１５における第１操作キー領域Ａに位置する表示パターンＰ１に対応させるとともに、表示部側操作キー部３５に表示される表示パターンＰ１２を、操作キー部１５における第２操作キー領域Ｂに位置する表示パターンＰ２に対応させるように構成することによって、操作キー部１５に表示される表示パターン（表示パターンＰ１、表示パターンＰ２）に対応した表示パターン（表示パターンＰ１１、表示パターンＰ１２）を、表示部側筐体３３に格納された表示部側操作キー部３５に表示させることができる。
【００８１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８２】
たとえば、上記実施形態では、携帯端末の一例として、携帯電話機１００を示したが、本発明はこれに限られない。本発明は、スライド移動可能な携帯端末であればよく、スライド移動可能なＰＤＡや携帯型のゲーム機などにも適用可能である。
【００８３】
また、上記実施形態では、携帯電話機１００の通話モード、文字入力モードおよび動画再生モードを切り替え可能なように構成するとともに、それぞれのモードに対応した表示パターンを操作キー部１５および表示部側操作キー部３５に表示させた例を示したが、本発明はこれに限られない。たとえば、携帯電話機にゲームモードをさらに設けるとともに、ゲームモードに対応した表示パターンを操作キー部および表示部側操作キー部に表示させてもよい。具体的には、図１５に示す第１変形例のように、操作キー部２１５は、橙色橙色反射シート２１５ｅをさらに有するとともに、発光部（図示せず）は橙色ＬＥＤをさらに有する。この橙色反射シート２１５ｅは、橙色光のみを選択的に反射し、橙色光以外の光を透過する機能を有する。この橙色反射シート２１５ｅには、第２操作キー領域Ｂの操作キー４０に対応する位置に、４方向（Ｘ１、Ｘ２、Ｙ１およびＹ２方向）の矢印の表示パターンＰ２４と、円に囲まれたアルファベット（Ａ〜Ｄ）の表示パターンＰ２４とを表示するための複数の開口部Ｐ２４ａが個別に形成されている。このため、操作キー部２１５の下方から照射された橙色光が表示パターンＰ２４の形状を有する開口部Ｐ２４ａを通過するとともに、橙色反射シート２１５ｅの開口部Ｐ２４ａ以外の部分では橙色光が反射されるように構成されている。これにより、ゲームモードにおいて操作キー部２１５の各操作キー４０には、橙色反射シート２１５ｅの開口部Ｐ２４ａを通過した橙色光により、各表示パターンＰ２４（矢印および円に囲まれたアルファベット（Ａ〜Ｄ））が橙色に光りながら表示させることが可能である。また、切り替え可能なモードの数は、３つまたは４つに限られない。
【００８４】
また、上記実施形態では、第２スライド状態において、動画再生用ソフトウェアを起動させた際に、操作キー部１５および表示部側操作キー部３５に表示される表示パターンを切り替えるように構成した例を示したが、本発明はこれに限られない。たとえば、音楽再生用のソフトウェアを起動させた際に、操作キー部および表示部側操作キー部に表示される表示パターンを切り替えるように構成してもよい。
【００８５】
また、上記実施形態では、複数の操作キー４０を用いて単一の意味を有する操作ボタン４２を大きく表示するように構成した例を示したが、本発明はこれに限られない。たとえば、図１６に示す第２変形例の携帯電話機３００のように、凸形状の操作キー４０のみを用いて操作ボタンを表示するように構成してもよい。この第２変形例では、複数の操作キー４０のキートップ（操作キー４０の上面）部分のみを用いて各操作ボタン３４２（３４２ａ〜３４２ｅ）が表示されている。なお、これらの操作ボタン３４２は、上記実施形態と同様に、巻き戻しボタン３４２ａ、停止ボタン３４２ｂ、一時停止ボタン３４２ｃ、再生ボタン３４２ｄおよび早送りボタン３４２ｅである。
【００８６】
また、上記実施形態では、表示部側本体３０（表示部側筐体３３）を操作部側本体１０（操作部側筐体１３）に対してＸ方向およびＹ方向にスライド移動させることによって、第１スライド移動位置および第２スライド移動位置に位置させることが可能なように構成した例を示したが、本発明はこれに限られない。たとえば、操作部側筐体の操作キー部の一部が常に露出しているように構成されているとともに、表示部側筐体が初期状態からある１方向に移動されてスライド移動位置に位置させるように構成してもよい。これにより、初期状態における操作キー部の表示パターンと、スライド移動位置における操作キー部の表示パターンとを切り替えて表示するように構成することが可能である。
【００８７】
また、上記実施形態では、表示部側本体３０が操作部側本体１０に対してＸ方向およびＸ方向と直交するＹ方向にスライド移動可能であるように構成した例について示したが、本発明はこれに限られない。たとえば、本発明の「第１方向」および「第２方向」が互いに交差する方向であれば、表示部側本体３０が操作部側本体１０に対してＸ方向およびＹ方向以外の方向にスライド移動可能に構成されていてもよい。
【００８８】
また、上記実施形態では、第１位置検出センサ２０および第２位置検出センサ２１としてそれぞれメカニカルセンサを用いた例を示したが、本発明はこれに限られない。たとえば、突起部の代わりに磁石を配置するとともに、第１位置検出センサおよび第２位置検出センサとして磁石からの磁気を検出する磁気センサを用いてもよい。また、突起部の代わりに反射板を配置するとともに、第１位置検出センサおよび第２位置検出センサとして光を発光して、反射板において反射された反射光を検出する反射型の光センサを用いてもよい。
【００８９】
また、上記実施形態では、ＬＥＤから構成される発光部１５２および１３５を用いて、異なる色で操作キー部１５および表示部側操作キー部３５に異なる表示パターンを表示した例を示したが、本発明はこれに限られない。本発明では、同一の色で操作キー部および表示部側操作キー部に異なる表示パターンを表示するように構成してもよい。
【００９０】
また、上記実施形態では、表示部側操作キー部３５に表示される緑色に光る表示パターンＰ１１と、青色または赤色に光る表示パターンＰ１２とを切り替えることが可能なように構成した例を示したが、本発明はこれに限られない。本発明では、表示部側操作キー部において表示パターンを切り替えなくてもよい。
【符号の説明】
【００９１】
１３  操作部側筐体
１４ａ  ＣＰＵ（制御部）
１５、２１５、３１５  操作キー部（第１操作キー）
２０  第１位置検出センサ（第１センサ）
２１  第２位置検出センサ（第２センサ）
３３  表示部側筐体
３４  表示画面部（表示部）
３５  表示部側操作キー部（第２操作キー）
１００、３００  携帯電話機（携帯端末）
Ａ  第１操作キー領域（第１の操作キー領域）
Ｂ  第２操作キー領域（第２の操作キー領域）
【図１】
2011015182.tif 000003
【図２】
2011015182.tif 000004
【図３】
2011015182.tif 000005
【図４】
2011015182.tif 000006
【図５】
2011015182.tif 000007
【図６】
2011015182.tif 000008
【図７】
2011015182.tif 000009
【図８】
2011015182.tif 000010
【図９】
2011015182.tif 000011
【図１０】
2011015182.tif 000012
【図１１】
2011015182.tif 000013
【図１２】
2011015182.tif 000014
【図１３】
2011015182.tif 000015
【図１４】
2011015182.tif 000016
【図１５】
2011015182.tif 000017
【図１６】
2011015182.tif 000018